(57)【特許請求の範囲】
【請求項１】
本体ケースと、
この本体ケースの裏面側に取り付けられた裏蓋と、
この本体ケースから裏面側に突出し該裏面側からの該本体ケースへの衝撃を緩衝する緩衝突部と前記本体ケースの裏面側に設けられた溝部に嵌入される埋込部とを有する緩衝部材とを備え、
前記埋込部を前記溝部に嵌入させ、前記緩衝突部を所定位置に位置決めして、前記裏蓋を前記本体ケースの裏面側に取付け、該緩衝部材を前記本体ケースに固定しており、前記埋込部は前記本体ケースの全周に亘って設けられていることを特徴とするリスト装置。
【請求項２】
前記本体ケースは、バンドを備えた腕時計本体であり、前記緩衝突部は、該バンドの基端部に位置決め配置されていることを特徴とする請求項１記載のリスト装置。
【請求項３】
前記埋込部を補強する補強部材を更に備えたことを特徴とする請求項１又は２記載のリスト装置。
【請求項４】
前記埋込部は、その全周に亘って前記補強部材によって補強されていることを特徴とする請求項１、２又は３記載のリスト装置。
【請求項５】
前記補強部材を前記埋込部に対して位置決めする位置決め機構を備えたことを特徴とする請求項３又は４記載のリスト装置。
【請求項６】
前記緩衝部材の前記本体ケースに対するずれを防止するずれ防止機構を備えたことを特徴とする請求項１から５のいずれかに記載のリスト装置。
【発明の詳細な説明】
【０００１】
【発明の属する技術分野】
本発明は、手首に装着するリスト装置に関するものである。
【０００２】
【従来の技術】
従来、腕時計等の手首に装着するリスト装置において、ねじ込み式裏蓋を有するものに耐衝撃構造を備える場合には、弾性体の緩衝部材を該ねじ込み式裏蓋の周囲に巻き付けた状態で、このねじ込み式裏蓋をリスト装置の本体ケースにねじ込む方法がとられていた。
【０００３】
また、リスト装置において、ビス止め式裏蓋を有するものに耐衝撃構造を備える場合には、緩衝部材を裏蓋および本体ケースの外側に配して、ビス止めにより該本体ケースの周囲から該緩衝部材を本体ケースに固定するといった方法がとられていた。
【０００４】
【発明が解決しようとする課題】
しかしながら、従来のリスト装置において、ねじ込み式裏蓋を有するものでは、上述したように、ねじ込み式裏蓋の周囲に弾性体の緩衝部材を巻き付けた状態で、このねじ込み式裏蓋を本体ケースにねじ込むため、ねじ込み強さによって、ねじ込み時の回転量に誤差が生じていた。従って、リスト装置本体の裏側に突出する緩衝突部を設けて、この突出部をリスト装置のバンドの基端部に位置させようとしてもねじ込み強さによって緩衝突部の位置がずれてしまうため、このような緩衝突部を有するような方向性のある緩衝部材を用いることができないという問題があった。
【０００５】
また、ビス止め式裏蓋有するものでは、緩衝部材を本体ケースの周囲に対してビス止めするといった方法が採られていたため、該緩衝部材の寸法が大きくなってしまい、リスト装置のデザイン的な制約がでてしまうといった問題があった。
【０００６】
そこで、本発明の課題は、ねじ込み式裏蓋を有するものでも緩衝突部を所定位置に配置することができるとともに、緩衝部材の寸法を小さく設定してリスト装置自体の外形寸法を小さく設定する等、デザイン性における自由度を高めることを可能とするリスト装置を提供することにある。
【０００７】
【課題を解決するための手段】
以上の課題を解決すべく、この発明は、本体ケース（図２、図７等の本体ケース２）と、この本体ケースの裏面側に取り付けられた裏蓋（同図の裏蓋７）と、この本体ケースから裏面側に突出し該裏面側からの該本体ケースへの衝撃を緩衝する緩衝突部（同図の緩衝突部２１）と前記本体ケースの裏面側に設けられた溝部（同図の溝部１０）に嵌入される埋込部（同図の埋込部２２）とを有する緩衝部材（同図の緩衝部材２０）とを備え、前記埋込部を前記溝部に嵌入させ、前記緩衝突部を所定位置に位置決めして、前記裏蓋を前記本体ケースの裏面側に取付け、該緩衝部材を前記本体ケースに固定しており、前記埋込部は前記本体ケースの全周に亘って設けられていることを特徴とする。
【０００８】
前記本体ケースは、例えば腕時計本体であることが挙げられるが、手首に装着して用いるものであればコンパス、高度計などその他のものでも良い。
前記溝部は、例えば、前記本体ケースの裏面側の周縁部に沿って設けられている。
前記裏蓋としては、例えば、ねじ込み式のものが挙げられるが、ビス止め式のものでも良い。
【０００９】
【発明の実施の形態】
以下に、本発明に係るリスト装置の実施の各形態例を図１から図９に基づいて説明する。
【００１０】
＜第一の実施の形態例＞
先ず、図１は本発明に係るリスト装置の一例としての腕時計を示す正面図、図２は図１のＡ−Ａ断面図、図３は図１のＢ−Ｂ断面図、図４は腕時計の本体ケース２の裏側を示す正面図、図５は本発明に係る緩衝部材２０を説明するための図であり、このうち、（ａ）は正面図、（ｂ）は背面図、（ｃ）の上半分は（ａ）のＣ−Ｃ断面図、（ｃ）の下半分は（ａ）のＣ−Ｃ矢視図、（ｄ）は（ａ）のＤ−Ｄ断面図、（ｅ）は（ａ）のＥ−Ｅ断面図、（ｆ）は（ｂ）の矢印Ｆ方向から見た図である。
【００１１】
図１から図３に示されるように、腕時計（リスト装置）の本体１は、本体ケース２に、緩衝部材２０、裏蓋７、ベゼル４及びガラス５等が取り付けられるとともに、液晶表示パネル６等の内部機器が収納されて構成されている。
【００１２】
図１に示されるように、本体ケース２の側部にはバンド取付部３，…が設けられ、該バンド取付部３，…にはバンド３Ａ，３Ａがバネ棒３Ｂ，３Ｂにより取り付けられている。
本体ケース２の上面には、図示しないＥＬ素子を発光させるための押しボタン５３，５３が設けられ、本体ケース２の側面には、各種操作を行うための押しボタン４１が設けられている。図３に示されるように、ベゼル４は緩衝部材４５により緩衝性をもたされた状態で本体ケース２に固定されている。また、ガラス５はパッキン４３を介して本体ケース２の開口部４４（図４参照）に圧入固定されている。さらに、ガラス５を通して、ドットマトリックス表示部４２および時刻等の情報表示を行う表示部５１が透視できるようになっている。本体ケース２の内部には、見切り部材４６が緩衝部材４７により緩衝性を持たされた状態で固定され、この見切り部材４６には、液晶表示パネル６が固定されている。本体ケース２の内部には、他にも、各種電子機器等からなる電子モジュール４８が緩衝部材４９および抑え板５２を介して配置されている。
【００１３】
本体ケース２の裏面側には、図４に示されるように、その周縁部に沿って、緩衝部材２０を取り付けるための溝部１０が形成されている。
【００１４】
緩衝部材２０は、図５に示されるように、本体１の裏面側から該本体１へ加わる衝撃を緩衝する緩衝突部２１，２１と、本体ケース２の裏面側の溝部１０に嵌入される埋込部２２とを備えている。
埋込部２２は、例えば、本体ケース２の全周に亘って配置されるような円環状に形成されている。
緩衝部材２０の緩衝突部２１，２１の基端部には、例えば、孔部２５が設けられていてもよい。これにより、緩衝突部２１，２１がバンド３Ａ，３Ａのバネ棒３Ｂ，３Ｂを支点とした回動を阻害することなく、該回動につれて緩衝突部２１，２１も、その基端部を軸に変位することが容易になる。
また、緩衝突部２１，２１は、後述する裏蓋７の取付けの邪魔にならないような位置に取付けられている。さらに、緩衝突部２１，２１を１２時−６時方向に小さくして、腕時計本体１の１２時−６時方向の寸法ができるだけ小さくなるようになっている。
【００１５】
緩衝部材２０の埋込部２２の側周部には、緩衝部材２０を本体ケース２へ取り付ける際の周方向へのずれを防止するためのずれ防止爪２３，…が形成されている。一方、本体ケース２の溝部１０には、緩衝部材２０のずれ防止爪２３，…を係合させて、緩衝部材２０の緩衝突部２１，２１を本体ケース２のバンド取付部３位置に保持させるための係止部１１，…が形成されている。
【００１６】
緩衝突部２１，２１は、バンド３Ａ，３Ａが取付けられるバンド取付部３，…側（バンドの基端部）に位置決め配置され、腕時計１を手首に装着する際に緩衝突部２１，２１が邪魔にならないようになっている。
【００１７】
このように構成された緩衝部材２０の本体ケース２への取付けは、埋込部２２を本体ケース２の溝部１０に嵌入させるとともに、ずれ防止爪２３，…を係止部１１，…に係合させて位置決めした状態にして、その裏側からＯリング５０を介して裏蓋７を本体ケース２に螺合させることによって行われている。
【００１８】
このように緩衝部材２０が取り付けられた状態において、緩衝突部２１が本体１の裏側に突出した状態となるので、本体１の裏面側からの落下時等に、その突出した緩衝突部２１によって、本体１の裏面側から本体１へ加わる衝撃を緩衝でき、本体１に強い衝撃が加わるのを防止して優れた保護機能を得ることができる。
【００１９】
緩衝部材２０の埋込部２２は本体ケース２の全周に亘って接触した状態に配置されるので、裏蓋７による緩衝部材２０の本体１への固定を、より確実に行うことができる。
【００２０】
また、埋込部２２の側周部に形成されたずれ防止爪２３，…が溝部１０に形成された係止部１１，…に係合して、埋込部２２の溝部１０の周方向へずれないようになっているので、緩衝部材２０が本体ケース２に対してずれることがない。
【００２１】
そして、その緩衝部材２０の緩衝突部２１，２１が、バンド取付部３，…側（バンドの基端部）に確実に位置決めされるので、腕時計を手首に装着した際に緩衝突部２１，２１が邪魔にならない。
【００２２】
さらに、緩衝部材２０を本体１へ装着するための埋込部２２が本体１の溝部１０内に納まり、緩衝突部２１，２１のみが本体１の裏側に露出するように設計することも可能なので、そうすることによって、リスト装置をよりフルメタルに近いデザインとすることができる。
【００２３】
＜第二の実施の形態例＞
先ず、図６は本発明に係るリスト装置の一例としての腕時計を示す正面図、図７は図６のＨ−Ｈ断面図、図８は図６のＩ−Ｉ断面図、図９本発明に係る補強部材３０を説明するための図である。
【００２４】
ここで、第二の実施の形態例における腕時計の本体４０の各構成要素は、上述した第一の実施の形態例における腕時計の本体１の各構成要素とほぼ同じであるので、同一の構成要素には同一の符号を付し、その説明を省略する。
【００２５】
補強部材３０は、図９に示されるように、例えば、緩衝部材２０の埋込部２２の全周に対応した円環状の形状に形成されており、該補強部材３０を該埋込部２２に対して相対回転しないように位置決めする位置決め爪３１，…と、該埋込部２２を補強する補強部３２とを有している。
【００２６】
緩衝部材２０の埋込部２２の裏側には、図５に示されるように、補強部材３０の位置決め爪３１，…が嵌入される嵌入溝２４，…が形成されている。
【００２７】
このように構成された緩衝部材２０を本体ケース２に取り付ける際には、補強部材３０の位置決め爪３１，…を埋込部２２の嵌入溝２４，…にそれぞれ嵌入させ、補強部材３０が埋込部２２に対して相対回転しない状態にしてから、該緩衝部材２０を上記第一の実施の形態のときと同様に本体ケース２に装着するようにすれば、該補強部材３０の補強部３１により、埋込部２２がその全周に亘って補強されて本体ケース２への取り付け時などに破損しにくくなる。また、埋込部２２が本体ケース２の溝部１０から抜けたりすることがなくなる。
【００２８】
以上のような構成の、第二の実施の形態例によれば、補強部材３０により埋込部２２を補強したので、埋込部２２の強度が好適に得られ、埋込部２２を薄型化・小型化しても該埋込部２２が本体ケース２の溝部１０から抜けたりすることがなく、該埋込部２２の薄型化・小型化が図れる。従って、前記本体１自体のデザインも、薄型化・小型化することができる。
【００２９】
また、補強部材３０の位置決め爪３１，…を埋込部２２の嵌入溝２４，…にそれぞれ嵌入させて、補強部材３０を埋込部２２に対して、相対回転しないように確実に位置決めしたので、補強部材３０が埋込部２２に対して回転してずれることを防止できる。
【００３０】
なお、上記の第二の実施の形態例では、埋込部２２を、その全周に亘って補強部材３０によって補強する構成としたが、必ずしも埋込部２２の全周に亘って補強する必要はなく、補強部材によって埋込部２２の一部を補強することとしても良い。
また、補強部材３０を埋込部２２に沿わせて配設し、該補強部材３０により埋込部２２を補強する構成としたが、補強部材３０を埋込部２２に埋め込む構成としても良い。
【００３１】
上記の第一・第二の実施の形態例では、リスト装置として、腕時計を示して説明を行ったが該リスト装置は、手首に装着して用いるものであればどのようなリスト装置（例えば、リスト型ＧＰＳ、リスト型電子コンパスまたは電子機器類など）に適用してもよい。
また、図示例では、正面形状が円形状の本体１（本体ケース２）となっているが、本発明はこれに限られるものではなく、例えば、正面形状が四角形状の本体（本体ケース）として、溝部１０、埋込部２２等もこれに対応した形状のものとしても良い。
さらに、裏蓋７は、上述したようなねじ込み式裏蓋に限らず、本体ケース２の溝部１０に埋込部２２を嵌入した状態で、ビス止め式裏蓋で埋込部２２を本体１に固定する構成としてもよい。
加えて、その他の具体的細部構造等は、本発明の要旨を逸脱しない範囲において適宜変更可能である。
【００３２】
このように、この実施形態（請求項１記載の発明）に係るリスト装置は本体ケース２と、この本体ケース２の裏面側に取り付けられた裏蓋７と、この本体ケース２から裏面側に突出し該裏面側からの該本体ケース２への衝撃を緩衝する緩衝突部２１と本体ケース２の裏面側に設けられた溝部１０に嵌入される埋込部２２とを有する緩衝部材２０とを備え、埋込部２２を溝部１０に嵌入させ、緩衝突部２１を所定位置に位置決めして、裏蓋７を本体ケース２の裏面側に取付け、緩衝部材２０を本体ケース２に固定したことを特徴としている。また、この実施形態（請求項１記載の発明）は、埋込部２２が前記本体ケース２の全周に亘って設けられていることを特徴としている。
【００３３】
この実施形態（請求項１記載の発明）によれば、本体ケース２の裏面側に突出した緩衝部材２０の緩衝突部２１により、本体ケース２の裏面側からの落下時等には、緩衝突部２１によって、本体ケース２の裏面側から本体ケース２へと加わる衝撃を緩衝でき、本体ケース２へと強い衝撃が加わることを防止して優れた保護機能が得られる。
また、埋込部２１を溝部１０に嵌入させ、緩衝突部２１を所定位置に位置決めしたうえで、裏蓋７を本体ケース２の裏面側に取り付けることにより緩衝部材２０が本体ケース２に固定されているので、緩衝部材２０が本体ケース２に確実に取り付けられるとともに、緩衝突部２１を所定位置に確実に位置させることができる。
従って、手首に取り付けるためのバンド３Ａの基端部にのみ緩衝突部２１を位置させるような方向性のある緩衝部材２０を用いることもできる。さらに、緩衝部材２０の本体ケース２への固定を行うための埋込部２１が本体ケース２内に埋め込まれており、緩衝突部２１のみが本体ケース２から露出するようにできるので、よりフルメタルに近いデザインとすることもできる。
また、この実施形態（請求項１記載の発明）によれば、埋込部２２が本体ケース２の全周に亘って設けられているので、緩衝部材２０の本体ケース２への定着度を高め、緩衝部材２０の本体ケース２への固定をより確実に行うことができる。
【００３４】
この実施形態（請求項２記載の発明）は請求項１記載のリスト装置であって、本体ケース２は、バンド３Ａを備えた腕時計本体であり、緩衝突部２１は、バンド３Ａの基端部に位置決め配置されていることを特徴としている。
【００３５】
この実施形態（請求項２記載の発明）によれば、本体ケース２は、バンド３Ａを備えた腕時計本体であり、緩衝突部２１は、バンド３Ａの基端部に位置決め配置されているので、該腕時計を手首に装着する際に緩衝突部２１が手首に沿うようにでき、腕時計の装着時に緩衝突部２１が邪魔にならないデザインとすることができる。
【００３６】
この実施形態（請求項３記載の発明）は、請求項１又は２記載のリスト装置であって、埋込部２２が前記本体ケース２の全周に亘って設けられていることを特徴としている。
【００３８】
この実施形態（請求項３記載の発明）は、請求項１又は２記載のリスト装置であって、埋込部２２を補強する補強部材３０を更に備えたことを特徴としている。
【００３９】
この実施形態（請求項３記載の発明）によれば、埋込部２２を補強する補強部材３０を備えたので、例えば何らかの原因で緩衝部材２０の緩衝突部２１が引っ張られたりしても埋込部２２が変形して埋込部２２が溝部１０から抜けたりすることを好適に防止でき、埋込部２２を薄型化・小型化しても埋込部２２が本体ケース２の溝部１０から抜けたりすることがなく、埋込部２２の薄型化・小型化が図れる。従って、本体ケース２自体のデザインも、薄型化・小型化することができる。
【００４０】
この実施形態（請求項４記載の発明）は、請求項１、２又は３記載のリスト装置であって、埋込部２２は、その全周に亘って補強部材３０によって補強されていることを特徴としている。
【００４１】
この実施形態（請求項４記載の発明）によれば、埋込部２２は、その全周に亘って補強部材３０によって補強されているので、補強部材３０による埋込部２２の補強をより確実に行うことができ、埋込部２２のさらなる薄型化・小型化が図れ、本体ケース２自体もさらなる薄型化・小型化が可能となる。
【００４２】
この実施形態（請求項５記載の発明）は、請求項３又は４記載のリスト装置であって、補強部材３０を埋込部２２に対して位置決めする位置決め機構（例えば、位置決め爪３１、嵌入溝２４）を備えたことを特徴としている。
【００４３】
この実施形態（請求項５記載の発明）によれば、補強部材３０を埋込部２２に対して位置決めする位置決め機構を備えたので、該位置決め機構により補強部材３０を埋込部２２に対して確実に位置決めでき、補強部材３０が埋込部２２に対してずれたりすることを防止できる。
【００４４】
この実施形態（請求項６記載の発明）は、請求項１から請求項６のいずれかに記載のリスト装置であって、緩衝部材２０の本体ケース２に対するずれを防止する、ずれ防止機構（例えば、ずれ防止爪２３、係止部１１）を備えたことを特徴としている。
【００４５】
この実施形態（請求項６記載の発明）によれば、緩衝部材２０の本体ケース２に対するずれを防止する、ずれ防止機構を備えたので、該ずれ防止機構により緩衝部材２０が本体ケース２からずれてしまうことを確実に防止できる。
【００４６】
【発明の効果】
本発明に係るリスト装置によれば、本体ケースの裏面側位置に、該本体ケースから裏面側に突出し該裏面側からの該本体ケースへの衝撃を緩衝する緩衝突部と本体ケースの裏面側に設けられた溝部に嵌入される埋込部とを有する緩衝部材を備え、埋込部を溝部に嵌入させ、緩衝突部を所定位置に位置決めして、裏蓋を本体ケースの裏面側に取付け、緩衝部材を本体ケースに固定した構成を特徴とするため、本体ケースの裏面側に突出した緩衝突部により、本体ケースへと強い衝撃が加わることを防止して優れた保護機能が得られる。
また、例えば、手首に取付けるためのバンドの基端部に緩衝突部を位置させるような方向性のある緩衝部材を用いることもできる。さらに、埋込部が本体ケース内に埋め込まれており、前記緩衝突部のみが該本体から露出するようにできるので、よりフルメタルに近いデザインとすることもできる。
【００４７】
また、前記本体ケースは、バンドを備えた腕時計本体であり、前記緩衝突部は、該バンドの基端部に位置決め配置されている構成とすれば、該腕時計を手首に装着する際に該緩衝突部が手首に沿うようにでき、腕時計の装着時に緩衝突部が邪魔にならないデザインとすることができる。
【００４８】
さらに、埋込部は本体ケースの全周に亘って設けられているので、緩衝部材の本体への定着度を高め、該緩衝部材の該本体への固定をより確実に行うことができる。また、埋込部を補強する補強部材を備えるようにすれば、該埋込部が溝部から抜けたりすることを好適に防止でき、該埋込部の薄型化・小型化が図れる。従って、前記本体ケース自体のデザインも、薄型化・小型化することができる。この場合、埋込部は、その全周に亘って補強部材によって補強することが望ましく、このようにすれば、該埋込部のさらなる薄型化・小型化が図れ、本体ケース自体もさらなる薄型化・小型化が可能となる。
【００４９】
加えて、補強部材を埋込部に対して位置決めする位置決め機構を備えることで、該補強部材が該埋込部に対してずれたりすることを防止できる。
【００５０】
他にも、緩衝部材の本体ケースに対するずれを防止する、ずれ防止機構を備えることで、該ずれ防止機構により該緩衝部材が該本体ケースからずれてしまうことを確実に防止できる。
【図面の簡単な説明】
【図１】本発明に係るリスト装置の一例としての腕時計を示す正面図である。
【図２】図１のＡ−Ａ断面図である。
【図３】図１のＢ−Ｂ断面図である。
【図４】腕時計の本体ケースの裏側を示す正面図である。
【図５】本発明に係る緩衝部材を説明するための図であり、このうち、（ａ）は正面図、（ｂ）は背面図、（ｃ）の上半分は（ａ）のＣ−Ｃ断面図、（ｃ）の下半分は（ａ）のＣ−Ｃ矢視図、（ｄ）は（ａ）のＤ−Ｄ断面図、（ｅ）は（ａ）のＥ−Ｅ断面図、（ｆ）は（ｂ）の矢印Ｆ方向から見た図である。
【図６】本発明に係るリスト装置の一例としての腕時計を示す正面図である。
【図７】図６のＨ−Ｈ断面図である。
【図８】図６のＩ−Ｉ断面図である。
【図９】本発明に係る補強部材を説明するための図である。
【符号の説明】
１    本体
２    本体ケース
３    バンド取付部（バンドの基端部）
３Ａ  バンド
７    裏蓋
１０  溝部
１１  係止部（ずれ防止機構）
２０  緩衝部材
２１  緩衝突部
２２  埋込部
２３  ずれ防止爪（ずれ防止機構）
２４  嵌入溝（位置決め機構）
３０  補強部材
３１  位置決め爪（位置決め機構）
【図１】
0003728617.tif 000002
【図２】
0003728617.tif 000003
【図３】
0003728617.tif 000004
【図４】
0003728617.tif 000005
【図５】
0003728617.tif 000006
【図６】
0003728617.tif 000007
【図７】
0003728617.tif 000008
【図８】
0003728617.tif 000009
【図９】
0003728617.tif 000010